(57)【要約】      （修正有）【課題】トング等の物を掴むための道具を用いることなくそのまま素手で掴んで安全に取り扱える温石健康用具を提供する。【解決手段】自然石を加工して作った本体１、或いはセラミックスや粘土を焼成して作った本体１、またはそれ等に準ずるような蓄熱性のある材質で作った本体１に取っ手２を取り付けることによって、加熱された温石健康用具を素手で掴んで取り扱えるようにした。【選択図】図１
2010148839.tif 000002
【特許請求の範囲】
【請求項１】
自然石を加工して作った本体１、或いはセラミックスや粘土を焼成して作った本体１、またはそれ等に準ずるような蓄熱性のある材質で作った本体１に取っ手２を取り付けることによって、加熱された温石健康用具を素手で掴んで取り扱えるようにした、取っ手の付いた温石健康用具。
【請求項２】
自然石を丸ごと削り出して本体１と一体型に取っ手２を設け、或いはセラミックスや粘土の焼き物、またはそれ等に準ずるような蓄熱性のある材質で本体１と取っ手２を一体型に成形して作り、加熱された温石健康用具を素手で掴んで取り扱えるようにした、取っ手の付いた温石健康用具。
【請求項３】
本体１に複数の脚がある取っ手６を設けて、加熱された温石健康用具を素手で掴んで取り扱えるようにした、取っ手の付いた温石健康用具。
【発明の詳細な説明】
【技術分野】
【０００１】  本発明は、自然石を加工して作った温石健康用具、或いはセラミックスや粘土を焼成して作った温石健康用具、またはそれ等に準ずるような蓄熱性のある材質で作った温石健康用具に取っ手を付けたことにより、加熱されて高温になっている温石健康用具の取っ手をそのまま素手で掴んでも火傷の心配がなく安全に取り扱いが出来るようにした、取っ手の付いた温石健康用具に関するものである。
【背景技術】
【０００２】  加熱した石を動物の鞣し革や布で包んで、血行が悪くなっている部位や痛みのある部位にそれを当てて病気の治療を行ったり健康の増進を図るという方法は、古来より自然発生的に世界の多くの地域で行われていた。しかし、最近では精神的なストレスが原因での心身の不調を訴える人々が増えてきたために、それらの不定愁訴の改善法として石を温めてそれを身体に当てて健康を増進する、いわゆるホットストーンセラピーといわれる温石健康法がブームになっている。
【発明の開示】
【発明が解決しようとする課題】
【０００３】  身体にバスタオルを被せ、その上に湯鍋等で加熱した石を置いて身体を温めることにより血行を良くしたり健康を増進するという温石健康法が従来から存在していた。しかし、次ような欠点があった。
湯鍋で加熱されたホットストーンといわれる温石健康用具をそのまま素手で掴んで取り扱うには火傷の危険があり、そのような行為は今までは絶対に不可能なことであった。したがって、温石健康用具を湯鍋から取り出すには、トング或いはそれに準ずるような物を掴むための道具を必ず用いなければならず非常に不便であった。
【課題を解決するための手段】
【０００４】  温石健康法を行うときに、湯鍋で高温になった温石健康用具を湯鍋から取り出すためにはトング等の物を掴むための道具を必ず用いなければならないという不便が常に生じていたので、自然石を加工した本体１或いはセラミックスや粘土の焼き物で作った本体１、またはそれ等に準ずるような蓄熱性のある材質で作った本体１に、取っ手２を取り付けるという新しい方法を考え出した。
【発明の効果】
【０００５】  温石健康法は、健康増進や癒しとして現在でも世界中で広く行われている健康法であるが、湯鍋で高温になった温石健康用具を湯鍋から取り出すときには、必ずトング等の物を掴むための道具を用いなければならなかった。発明者は長年針灸マッサージ院を経営しているが、本発明の如く温石健康用具本体１に取っ手２を取り付けたことにより、温石健康用具の取っ手２を素手で掴んで湯鍋から取り出しても手に火傷を負う心配もなく、さらには取っ手が付いたことにより取り扱いが迅速に行えるようになった。したがって、患者さんに温石療法を施す際の準備時間が格段に短縮された。また、温石療法を施術中に患者さんが温石健康用具が熱すぎると訴えた場合でも、取っ手が付いているので素手で本発明の取っ手を掴んで、速やかに他の部位へ移動させることが出来るようになった。
【発明を実施するための最良の形態】
【０００６】  以下、本案の実施について述べる。
自然石を加工して作った本体１、或いはセラミックスや粘土の焼き物で作った本体１、またはそれ等に準ずるような蓄熱性のある材質で作った本体１に、木材或いは熱伝導率が極めて低く耐熱性のある化学樹脂で作った取っ手２を取り付けるために本体１に通し穴３を設けて、取っ手２の底部に設けた雌ネジ４と接続用の雄ネジ５を用いて本体１に取っ手２を取り付ける。
この場合の、実験での数値的な結果を述べることにする。室温が２０℃の時に、加熱前の本体１の表面温度は２０℃である。そして、湯温が約８０℃に保たれるようにセットしてあるマイコン式電熱鍋には、本体１の部分だけが浸る程度にお湯を入れておく。次に、木材或いは熱伝導率が極めて低く耐熱性のある化学樹脂で作った取っ手２の付いた温石健康用具を３分３０秒間電熱鍋のお湯に浸し、その後に温石健康用具を取り出し赤外線放射温度計で本体１の表面温度を計測すると約８０℃まで上昇していることが確認できる。しかし、温石健康用具の取っ手２の表面温度は僅か３３℃までしか上昇していなかった。その結果、取っ手の付いた温石健康用具を素手で簡単に熱湯鍋から取り出すことが可能となった。さらには、自然石で作った本体１と自然石で作った取っ手２を接続した場合であっても、本体１に比較して取っ手２の大きさが小さいが故に取っ手２の表面温度は、僅か３５℃にしか上昇しなかった。
また、自然石やセラミックス或いは粘土の焼き物、またはそれ等に準ずるような蓄熱性のある材質で作った本体１と取っ手２を一体型にして作る方法もある。この場合は、図３図４のように取っ手２の大きさを本体１の大きさに対して非常に小さく細くして作ったならば、熱い飲み物が入ったカップの取っ手を簡単に持つことが可能な如く、取っ手が本体と同材質であっても加熱された温石健康用具の取っ手を素手で掴むことが可能になる。室温が２０℃の時の実験では、加熱前の本体１の表面温度は同じく２０℃である。そして、湯温が８０℃になるように設定したマイコン式電熱鍋に本体１と取っ手２が一体型の温石健康用具を３分３０秒間浸した後に、本体１の表面温度を赤外線放射温度計で計測すると約８０℃まで上昇したことが確認できる。しかし、温石健康用具の取っ手２の部分は本体１と同材質であるにも関わらず表面温度は僅か３５℃までしか上昇しないという結果が出た。
また、本体１と取っ手２を一体型に成形して作った場合は、湯鍋の加熱だけでなく電子レンジでも加熱が可能となる。自然石を加工した温石健康用具での電子レンジ加熱実験では、室温が２０℃の時には自然石温石健康用具も２０℃である。これを出力が６００Ｗの電子レンジで２分３０秒間加熱すると、本体１は約８０℃になるが、取っ手２の温度は３５℃に上昇しただけであったので、取っ手２を素手で簡単に掴んで取り扱うことが可能となった。
【図面の簡単な説明】
【０００７】
【図１】  本発明の斜視図である。
【図２】  本発明の断面図である。
【図３】  本体と取っ手が一体型に成形された温石健康用具の斜視図である。
【図４】  本体に複数の脚がある取っ手を設けた温石健康用具の斜視図である。
【符号の説明】
【０００８】  １  本体
２  取っ手
３  通し穴
４  取っ手に設けた雌ネジ
５  接続用の雄ネジ
６  複数の脚がある取っ手
【図１】
2010148839.tif 000003
【図２】
2010148839.tif 000004
【図３】
2010148839.tif 000005
【図４】
2010148839.tif 000006